(57)【要約】【課題】  校正指示と共に元の原稿の画像に応じた画像データを伝送することにより、校正指示の的確な伝達を可能とするときに、伝送するデータ量を抑える。【解決手段】  サーバでは、赤入れされた校正原稿の画像をスキャナ２２によって読み込むと、マーク検出部６６で赤入れ画像の色を特定するマークを検出し、赤入れ画像抽出部６０で、このマークの色に基づいて赤入れ画像の抽出を行う。また、画像変換部６２では、赤入れ画像の画像データを抽出することにより得られる原稿の画像データに対して単色画像への画像変換を行いデータ量の削減を図る。画像合成部６４では、赤入れ画像と、画像変換を行った原稿の画像を合成する。これにより、赤入れ画像を的確に認識でき、データ量を抑えた校正指示データを作成することができる。【選択図】        図３
2006080856.tif 000002
【特許請求の範囲】
【請求項１】
データ伝送される原画像の画像データを印刷出力した原稿に、原画像に対する校正指示を書き込んで校正原稿を形成し、校正原稿に応じた画像データを伝送することにより原画像に対する校正指示を行う画像校正システムであって、
前記校正原稿から画像を読み取って画像データを生成する画像読取り手段と、
前記画像読取り手段によって読み取った画像データから前記校正指示として書き込まれている校正指示画像の画像データを抽出する抽出手段と、
前記抽出手段によって前記校正画像が抽出された画像データを単色画像の画像データに変換する変換手段と、
を含み、前記抽出手段によって抽出した前記校正指示画像の画像データと共に、前記変換手段によって変換した画像データを校正指示データとして伝送することを特徴とする画像校正システム。
【請求項２】
前記変換手段が解像度を下げる解像度変換手段を含むことを特徴とする請求項１に記載の画像校正システム。
【請求項３】
前記抽出手段によって抽出した前記校正指示画像の画像データと、前記変換手段によって変換した画像データを合成する合成手段を含むことを特徴とする請求項１又は請求項２に記載の画像校正システム。
【請求項４】
前記抽出手段によって抽出した前記校正指示画像の画像データと前記変換手段によって変換した画像データとを個別に圧縮して伝送することを特徴とする請求項１又は請求項２に記載の画像校正システム。
【請求項５】
前記校正指示画像の色が設定されているときに、前記抽出手段が、前記設定された色を抽出色として該当する色の画像を前記校正指示画像として抽出することを特徴とする請求項１から請求項４の何れか１項に記載の画像校正システム。
【請求項６】
前記原画像を記録した記録紙の所定位置に、前記校正指示の書き込みに用いる筆記具によって前記校正指示画像の色のマークが記されているときに、該マークを検出して、検出したマークの色から前記抽出色を設定する抽出色設定手段を含むことを特徴とする請求項５に記載の画像校正システム。
【請求項７】
前記校正指示画像の色数が設定されているときに、前記抽出色設定手段が、設定された数の色を抽出することを特徴とする請求項６に記載の画像校正システム。
【請求項８】
前記原稿の周縁部に前記校正指示画像の色のマークが標されているときに、前記抽出色設定手段が、前記読取手段によって読み取った画像データから前記原稿の周縁部の色を検索して、前記校正指示画像の色を抽出することを特徴とする請求項６又は請求項７に記載の画像校正システム。
【請求項９】
前記原画像の画像データないし前記校正指示データを電子メールの添付ファイルとして伝送することを特徴とする請求項１から請求項８の何れか１項に記載の画像校正システム。
【請求項１０】
記録紙に原画像を記録して形成した原稿に、校正指示を書き込んで校正原稿を作成するときの校正原稿の作成方法であって、
前記記録紙の非画像領域の所定位置に、前記校正指示の書き込みに用いる筆記具によって校正指示を示す画像の色を特定可能とするマークを付与することを特徴とする校正原稿の作成方法。
【請求項１１】
前記マークを付与する位置を、前記記録紙の周縁部の非原画像領域としていることを特徴とする請求項１０に記載の校正原稿の作成方法。
【請求項１２】
前記マークを付与する位置を前記記録紙の四隅の少なくとも一つすることを特徴とする請求項１０又は請求項１１に記載の校正原稿の作成方法。
【請求項１３】
予め設定している数の色を、前記校正指示の色としていることを特徴とする請求項１０から請求項１２の何れか１項に記載の校正原稿の作成方法。
【発明の詳細な説明】
【技術分野】
【０００１】
本発明は、原稿に赤入れ等によって校正指示を書き込んだ校正原稿を用いて校正指示を行う画像校正システム及び校正原稿の作成方法に関する。
【背景技術】
【０００２】
印刷処理の分野におけるデジタル化として、ＤＴＰ（Desktop Publishing）化が浸透している。ＤＴＰは、パーソナルコンピュータやワークステーション等の処理装置上で、画像の作成、加工、編集等を行うことによりページレイアウトを作成し、このページレイアウトに基づいて印刷版を露光するためのフィルムの作成を行ったり（ＣＥＰＳ）、印刷版に直接書き込んで印刷用の刷版を作成する（ＣＴＰ：Computer to Plate）。
【０００３】
また、実際の刷版を用いた印刷に先立って校正等を行うときには、ＷＹＳＩＷＹＧ機能等を用いて、モニタに表示したページレイアウトを、ページプリンタ等の印刷出力装置によって印刷出力してカラープルーフを作成する（カンプ出力）。
【０００４】
一方、最終的な印刷物を得る前には、校正用に作成したカラープルーフを、印刷会社から印刷物の発注者（依頼主）などに渡して、発注者等による校正が行われる。すなわち、カラープルーフを元の原稿として、修正個所に赤入れ等によって修正指示を書き込み（以下、赤入れとする）、修正原稿（赤入れ原稿）を作成する。
【０００５】
発注者は、この修正原稿を印刷会社に渡して、元の原稿に対する修正を指示し、この修正指示に基づいた修正が行われることにより、印刷用の画像データが得られるようにしている。
【０００６】
このように、校正刷り（カラープルーフ）は、印刷会社側で作成し、印刷会社はこのカラープルーフを発注者などの校正者に渡す。また、印刷会社側では、校正者から赤入れした修正原稿を受け取ると、修正原稿に書き込まれている修正指示に基づいた修正を行うようにしている。
【０００７】
近年のネットワークの普及と汎用プリンタの色再現性の向上に伴って、ネットワーク伝送を用いたリモートカラープルーフが用いられることがある。このリモートカラープルーフでは、印刷会社側から発注者へ画像データを伝送して、発注者側のプリンタを用いてカラープルーフを出力することにより、発注者にカラープルーフを受け渡す。発注者は、このカラープルーフに赤入れを行うことにより修正原稿を作成し、作成した修正原稿を、画像読取り装置（例えばスキャナ）によって読み取って修正原稿に応じた画像データを作成し、この画像データを、ネットワーク伝送によって印刷会社に伝送する。
【０００８】
これにより、印刷会社では、発注者から伝送された修正原稿の画像データに基づいて元の画像データに対する修正等の処理が可能なる。
【０００９】
ところで、ネットワークを介して多量のデータを伝送する時には、伝送時間が長くなってしまう。また、ネットワークには、データ量に応じて課金される従量制を適用したものがあり、このようなネットワークを利用しているときに多量のデータを伝送すると、伝送コストが高くなってしまう。
【００１０】
ここから、赤入れ等の修正を施した修正原稿から赤入れ情報を抽出し、元の原稿の画像は伝送せず、抽出した赤入れ情報のみを伝送するリモートカラープルーフシステムの提案がなされる（例えば、特許文献１参照。）。
【００１１】
この提案では、修正原稿から赤入れ情報を抽出し、この赤入れ情報のデータ（画像データ）のみを伝送することにより、伝送データ量の低減を図り、伝送時間の短縮や、伝送コストの低減を可能としている。また、赤入れ情報のデータ（画像）を単色にしたり、解像度を下げることにより、ネットワークカラープルーフを利用するときの、より一層の伝送データ量の減少を達成できるようにしている。
【００１２】
しかしながら、一つの原稿を複数の校正者（発注者）に送り、それぞれの校正者が赤入れ等による修正指示を行い、それぞれの修正指示に基づいて元の原稿に対する修正を施すことがある。また、校正者が印刷会社のみでなく、他の校正者などへ修正指示を伝送することがある。
【００１３】
このような場合、印刷会社側で、既に元の原稿をほかの修正指示に基づいて修正した後に、新たに赤入れ情報のみが伝送されてくることがあり、このような場合、元の原稿が修正されているために、新たな修正指示の的確な判断が困難となることがある。
【００１４】
また、修正指示を複数個所に伝送するときに、伝送先に元の画像がないと修正指示だけでは、修正内容を具体的に把握できないため、修正指示のみでなく元の原稿の画像データも合わせて送信する必要が生じ、必ずしもデータ量を削減し得るものではない。
【特許文献１】特開２００３−１４３３９４号公報
【発明の開示】
【発明が解決しようとする課題】
【００１５】
本発明は上記事実に鑑みてなされたものであり、リモートカラープルーフ等を用いるときに、伝送する情報量が増加してしまうのを抑えながら、複数の送信元から入力される修正指示や、修正指示を複数個所に伝送するときにも、校正指示の的確な把握が可能となる画像校正システム及び、画像校正システムに好ましい校正原稿の作成方法を提供することを目的とする。
【課題を解決するための手段】
【００１６】
上記目的を達成するための本発明は、データ伝送される原画像の画像データを印刷出力した原稿に、原画像に対する校正指示を書き込んで校正原稿を形成し、校正原稿に応じた画像データを伝送することにより原画像に対する校正指示を行う画像校正システムであって、前記校正原稿から画像を読み取って画像データを生成する画像読取り手段と、前記画像読取り手段によって読み取った画像データから前記校正指示として書き込まれている校正指示画像の画像データを抽出する抽出手段と、前記抽出手段によって前記校正画像が抽出された画像データを単色画像の画像データに変換する変換手段と、を含み、前記抽出手段によって抽出した前記校正指示画像の画像データと共に、前記変換手段によって変換した画像データを校正指示データとして伝送することを特徴とする。
【００１７】
この発明によれば、原稿に校正指示を書き込んで、校正指示による校正画像を加えた校正原稿を、画像読取り手段に装填して、校正原稿に記録されている画像の画像データを生成すると、この画像データから校正指示画像の画像データを抽出する。また、校正画像の画像データを抽出することにより分離した原稿の画像を単色画像に変換した画像データを生成する。
【００１８】
これにより、原稿の画像データのデータ量を削減することができるので、校正指示画像と原稿画像に応じた画像データを合わせて伝送するときのデータ量を抑えることができるので、校正指示画像に原稿の画像を合わせて伝送しても伝送時間を短縮して、確実に伝送することができる。
【００１９】
また、伝送するデータに原稿の画像を含むので、校正内容を的確に伝達することが可能となる。
【００２０】
このような変換手段としては、黒色の単色画像（グレースケールの画像）に変換することがより好ましく、これにより、例えば赤色の筆記具（赤ペンや赤色の色鉛筆）を用いて校正指示を書き込んだときに、校正指示の内容を際立たせることができ、校正指示のより的確な伝達が可能となる。
【００２１】
このような本発明においては、前記変換手段が解像度を下げる解像度変換手段を含むことが好ましく、これにより、原稿の画像データのデータ量より一層の削減が可能となる。
【００２２】
また、本発明は、前記抽出手段によって抽出した前記校正指示画像の画像データと、前記変換手段によって変換した画像データを合成する合成手段を含むことができる。
【００２３】
さらに、本発明は、前記抽出手段によって抽出した前記校正指示画像の画像データと前記変換手段によって変換した画像データとを個別に圧縮して伝送するものであっても良い。
【００２４】
校正指示画像と原稿の画像を別々にデータ圧縮することにより、校正指示画像の画質低下を抑えながら原稿の画像データのデータ量をさらに削減することができる。
【００２５】
すなわち、本発明では、原稿の画像に対しては、原稿の内容が識別できる程度の画像に変換することにより、伝送時のデータ量を削減することにより、校正指示を伝送するときの総データ量を抑えながら、原稿の画像を含ませる。
【００２６】
これにより、原稿や原稿の画像データが無いか、既に何らかな修正が施されている状態であっても、伝送した校正指示の内容が明確になるようにし、校正指示  の的確な伝達を可能とするようにしている。
【００２７】
また、本発明においては、前記校正指示画像の色が設定されているときに、前記抽出手段が、前記設定された色を抽出色として該当する色の画像を前記校正指示画像として抽出するものであれば良い。
【００２８】
さらに、本発明の画像校正システムにおいては、前記原画像を記録した記録紙の所定位置に、前記校正指示の書き込みに用いる筆記具によって前記校正指示画像の色のマークが記されているときに、該マークを検出して、検出したマークの色から前記抽出色を設定する抽出色設定手段を含むことができる。
【００２９】
また、前記校正指示画像の色数が設定されているときに、前記抽出色設定手段が、設定された数の色を抽出するものであればよく、また、前記原稿の周縁部に前記校正指示画像の色のマークが標されているときに、前記抽出色設定手段が、前記読取手段によって読み取った画像データから前記原稿の周縁部の色を検索して、前記校正指示画像の色を抽出するものであっても良い。
【００３０】
このような本発明においては、前記原画像の画像データないし前記校正指示データを電子メールの添付ファイルとして伝送するものであっても良い。
【００３１】
さらに、本発明における校正指示画像の的確な抽出を可能とするための校正原稿の作成方法は、記録紙に原画像を記録して形成した原稿に、校正指示を書き込んで校正原稿を作成するときの校正原稿の作成方法であって、前記記録紙の非画像領域の所定位置に、前記校正指示の書き込みに用いる筆記具によって校正指示を示す画像の色を特定可能とするマークを付与することを特徴とし、これにより、校正原稿上の校正指示画像の的確な把握や抽出が可能となる。
【００３２】
また、校正原稿の作成方法としては、前記マークを付与する位置を、前記記録紙の周縁部の非原画像領域とすることができ、また、前記マークを付与する位置を、前記記録紙の四隅の少なくとも一つすることができる。これにより、複数の色の筆記具を用いて校正を行うときにも、校正指示の的確な把握や抽出が可能となる。
【００３３】
このような本発明の校正原稿の作成方向においては、予め設定している数の色を、前記校正指示の色とすることができる。すなわち、本発明の校正原稿の作成方法においては、校正に用いる筆記具の色を特定せずに、色数を設定して行うことができる。
【発明の効果】
【００３４】
以上説明したように本発明によれば、変換手段によって原稿の画像に応じた画像データのデータ量を抑えるように変換するので、校正指示に原稿の画像を含ませても、短時間で確実にデータ伝送を行うことができ、校正指示を的確に伝達することができるという優れた効果が得られる。
【発明を実施するための最良の形態】
【００３５】
以下に図面を参照しながら本発明の実施の形態を説明する。図１には、本実施の形態に適用した校正システム１０の概略構成を示している。この校正システム１０は、複数のネットワークユーザー１２が、ネットワーク接続されている。
【００３６】
なお、校正システム１０では、ネットワークユーザー１２のそれぞれに構内ＬＡＮ（ローカルエリアネットワーク）等のネットワークが形成されていても良く、また、ネットワークユーザー１２同士を接続するネットワークとしては、公衆ネットワーク（インターネット）に限らず、専用のネットワークを適用することもでき、このときに、伝送するデータ量等に応じて課金する従量制ネットワークなどを適用することができる。
【００３７】
ネットワークユーザー１２（以下、単にユーザー１２とする）は、例えば、原稿作成及び作成した原稿に基づいた印刷処理を行う印刷会社など（以下、区別するときにはユーザー１２Ａとする）及び、印刷会社へ原稿の作成／修正及び印刷処理を依頼する発注者など（以下、区別するときにはユーザー１２Ｂ、１２Ｃとする）を適用できる。
【００３８】
ユーザー１２Ａには、少なくとも、各種のアプリケーションを用いてページレイアウト等の印刷用の画像（原稿）を形成可能とする画像処理端末１４及び、各種の画像データに基づいた印刷処理を行うプリンタ１６が接続されたプリントサーバ１８が含まれている。
【００３９】
なお、ユーザー１２Ａには、画像処理端末１４によって作成した画像データに基づいて印刷用の刷版を作成するために感光性平版印刷版等を直接露光するプレートセッターや、感光性平版印刷版への画像焼付（露光）に用いる原稿フィルムを露光する露光装置等が設けられていても良い。
【００４０】
ユーザー１２Ｂ、１２Ｃ等には、少なくとも、ユーザー１２Ａから伝送される画像データに応じた印刷処理を行うプリンタ２０と、原稿等に記録された画像を読み込んで画像データを生成する画像読取り装置（スキャナ２２）を含んでおり、これらがサーバ２４に接続している。また、ユーザー１２Ｂ、１２Ｃには、各種の画像処理を行う画像処理端末２６が含まれていても良い。
【００４１】
なお、ユーザー１２Ｂ、１２Ｃでは、プリンタ２０とスキャナ２２を一体にした複合機を設けても良く、また、サーバ２４に替えて画像処理端末２６によってプリンタ２０やスキャナ２２の作動を制御するものであっても良い。また、校正システム１０では、画像処理端末１４、２６として、パーソナルコンピュータやワークステーションなどの従来公知の画像処理端末を用いることができる。
【００４２】
図２には、ネットワーク１２Ｂ、１２Ｃに設けているサーバ２４の概略構成を示している。サーバ２４は、ＣＰＵ２８、チップセット３０、メインメモリ３２を備え、ＣＰＵ２８によって画像処理を含む各種の処理及びサーバ２４の作動を制御する一般的構成となっている。
【００４３】
また、サーバ２４は、複数のバス３４Ａ、３４Ｂ、３４Ｃがブリッジ３６を介して接続しており、バス３４Ａには、チップセット３０と共に、ＨＤＤ３８、ネットワークカードなどの通信インターフェイス（通信Ｉ／Ｆ４０）が接続している。
【００４４】
また、サーバ２４には、ＣＲＴ又はＬＣＤなどのモニタが表示デバイス４２として設けられ、キーボード及びマウスなどが入力デバイス４４として設けられている。表示デバイス４２は、ビデオカード４６を介してバス３４Ａに接続され、入力デバイス４４は、入力デバイスインターフェイス（入力デバイスＩ／Ｆ）４８を介してバス３４Ｂに接続されており、これにより、サーバ２４では、各種の情報や画像の表示と、表示情報や画像に対する処理指示などの入力操作が可能となっている。
【００４５】
なお、サーバ２４は、ＣＤ−ＲＯＭドライブ５０やＦＤドライブ５２が設けられて、ＣＤ−ＲＯＭやＦＤからのデータの読込み等が可能となっている。また、サーバ２４は、ＣＤやＤＶＤなどの各種の記憶メディアへのデータの入出力が可能なドライブを含んでいても良い。
【００４６】
一方、サーバ２４には、画像処理部５４、画像メモリ５６及び周辺機器インターフェイス（周辺機器Ｉ／Ｆ５８）が設けられており、これらがバス３４に接続している。
【００４７】
周辺機器Ｉ／Ｆ５８には、プリンタ２０及びスキャナ２２が接続しており、サーバ２４では、周辺機器Ｉ／Ｆ５８を介して、プリンタ２０への印刷データの出力及び、スキャナ２２からの画像データの読込み可能となっている。
【００４８】
すなわち、サーバ２４では、画像処理端末２６等から印刷ジョブ（画像データ）が入力されると、画像処理部５４で、この印刷ジョブに基づいた画像処理を行って印刷データを生成し、この印刷データをプリンタ２０へ出力することにより、印刷ジョブに応じた印刷処理が実行されるようにしている。
【００４９】
また、サーバ２４では、スキャナ２２によって原稿に記録された画像を読み込んで生成された画像データが入力されると、画像処理部３４でこの画像データに対して所定の処理を行い、ＨＤＤ３８への保存や、画像処理端末２６等への出力を行う。また、サーバ２４では、スキャナ２２によって読み込んだ画像データに基づいて印刷データを生成して、プリンタ２０へ出力することにより、原稿に記録された画像の複写が可能となっている。
【００５０】
なお、このようなサーバ２４は、従来公知の一般的構成を適用でき、例えば、パーソナルコンピュータ（ＰＣ）に所定機能のＰＣＩボード等を追加することにより構成可能となっている。
【００５１】
一方、サーバ２４は、同じユーザー１２内の画像処理端末２６との間のデータ交換のみならず、他のユーザー１２の画像処理端末１４、２６や、プリントサーバ１８、サーバ２４等との間のデータ交換が可能となっている。
【００５２】
このように構成されている校正システム１０では、ユーザー１２Ａの画像処理端末１４によって作成したページレイアウトなどの画像データに対する校正処理を行うときに、画像データをユーザー１２Ｂないしユーザー１２Ｃのプリンタ２０（サーバ２４）へ伝送して、プリンタ２０で印刷出力することにより、校正用の原稿（カラープルーフ）としてユーザー１２Ｂないしユーザー１２Ｃの校正者に渡すことができる。
【００５３】
また、校正システム１０では、校正用の原稿（元の原稿）に赤入れ等によって校正指示を書き込むなどして形成された校正原稿を、ユーザー１２Ａに校正指示として戻すときには、この校正原稿を、スキャナ２２によって読み込んで校正指示用の画像データを生成し、この校正指示用の画像データを、ユーザー１２Ａのプリントサーバ１８ないし画像処理端末１４へ伝送するようにしている。
【００５４】
ところで、ユーザー１２Ｂ、１２Ｃに設けているサーバ２４では、校正原稿の画像をスキャナ２２によって読み込むと、読み込んだ画像（画像データ）から赤入れ領域を抽出し、抽出した赤入れ領域を校正指示データとする。また、サーバ２４では、校正原稿から読み込んだ画像（画像データ）から赤入れ領域を分離して、元の原稿画像に応じたデータを生成すると、この画像データに対して単色化処理ないし解像度変換処理を行うことにより、データ量を減少させた原稿画像に応じた画像データ（以下、原稿データとする）を生成する。
【００５５】
サーバ２４では、この校正指示データと原稿データを併せて校正指示として、伝送するようにしている。
【００５６】
すなわち、図３に示すように、サーバ２４には、赤入れ画像抽出部６０及び画像変換部６２と共に画像合成部６４が形成されており、校正原稿７４の画像７６をスキャナ２２によって読み込むと、その画像データから赤入れ領域内の画像（赤入れ画像７２）を抽出すると共に、赤入れ領域を抽出することにより赤入れ画像７２から元の原稿７０の画像７８を分離し、分離した画像７８に対して、カラー画像から単色画像に変換する画像変換処理を行うことにより、元の原稿７０に対するデータ量の削減を行う。また、この画像変換処理を行うときには、解像度を下げることもでき、これにより、データ量をより一層減少させることが可能となる。
【００５７】
この後に、変換したデータと、赤入れ画像７２を合成して、校正指示画像を形成し、この校正指示画像を伝送する。なお、校正指示画像に対して画像圧縮を行うようにしても良く、これにより、伝送するデータ量の削減が可能となる。
【００５８】
一方、サーバ２４には、マーク検出部６６が形成されている。このマーク検出部６６では、スキャナ２２によって読み込んだ校正原稿７４の画像７６から、赤入れ画像７２を抽出するときに用いる筆記具の色を抽出して設定する。
【００５９】
原稿７０に対して赤入れを行うときには、色鉛筆やマーカー、サインペンなどの所定の色の筆記具が用いられる。
【００６０】
図４に示すように、校正システム１０では、記録紙６８に画像を形成した原稿７０（カラープルーフ）をプリンタ２０から出力する。この原稿７０に対して、赤入れを行って赤入れ画像７２を形成することにより、校正原稿７４を作成する。
【００６１】
すなわち、校正原稿７４の画像７６は、原稿７０に記録されている元の画像７８に赤入れ画像７２を合成したものとなっている。
【００６２】
このとき、校正システム１０では、校正原稿７４に、赤入れに用いた筆記具によってマーク８０を記すようにしている。このマーク８０の位置は、例えば、記録紙６８の四隅の何れか少なくとも１箇所などの、記録紙６８の非画像領域となる余白部分で予め設定した位置としている。
【００６３】
このとき、赤入れに使用する筆記具は、赤入れ画像７２が明確に識別できるように、所定の太さとなっており、これにより、マーカー８０も視認が容易な面積となっている。
【００６４】
また、校正システム１０では、色数を予め設定することにより、複数色の筆記具を用いて校正（赤入れ）を行うこともできる。このときには、それぞれの色のマーク８０を記録紙６８に形成する。例えば、マーク８０を記録紙６８の四隅の何れかに形成するように設定していれば、４色以内の色の筆記具を用いて赤入れを行って、用いた筆記具のそれぞれによって記録紙６８の異なる隅にマーク８０を形成すればよい。
【００６５】
また、マーク８０は、記録紙６８の四隅に限らず、記録紙６８の周縁部などの原稿７０の元の画像７８に重ならず、赤入れ画像７２との識別が明確となる位置であれば、任意の位置に記すことができる。
【００６６】
図３に示すマーク検出部６６では、校正原稿７４の画像をスキャナ２２によって読み取った画像データからマーク８０を抽出し、赤入れに用いている色を判定する。
【００６７】
赤入れに用いている色の判定は、スキャナ２２によって読み込んだ校正原稿７４の画像データから、非画像領域である記録紙６８上の周縁部で、記録紙６８とことなる色の画素を抽出する。すなわち、マーク８０は、所定以上の面積を有することから、記録紙６８の周縁部から抽出した画素によって形成される画像が所定面積以上であるときに、この画素によって形成されている画像をマーク８０と判定する。
【００６８】
また、マーク８０の抽出を行うと、そのマーク８０の色を赤入れ画像７２の色と判定する。なお、このような色の抽出は、任意の画像処理を適用することができる。
【００６９】
一方、赤入れに用いる色（筆記具の色）は、単色であっても良く、複数色であって良いが、予め設定されていることが好ましい。また、赤入れに複数色を用いるときには、用いる色数を予め設定しておけばよい。
【００７０】
さらに、マーク８０を記す位置は、前記した如く、記録紙６８の四隅の何れか少なくとも一つを用いても良く、記録紙６８の周縁部の任意の位置にマーク８０を記すものであっても良く、このときも予め定めておくことが好ましい。
【００７１】
例えば、単色で赤入れを行うときに、マーク８０を記録紙６８の四隅の何れかに記録するように設定しているときには、スキャナ２２によって読み込んだ校正原稿７４の画像データから、記録紙６８上の四隅からマーク８０となる画像を抽出するようにすれば良い。
【００７２】
また、複数色で赤入れを行うときに、マーク８０を記録紙６８の四隅に記録するように設定しているときには、スキャナ２２によって読み込んだ校正原稿７４の画像データから、記録紙６８上の四隅からマーク８０となる画像を抽出するようにすれば良い。
【００７３】
このとき、記録紙６８の四隅のそれぞれに一色ずつのマーク８０を記すことにより、赤入れに用いる色を４色まで用いることができる。
【００７４】
さらに、マーク８０を記録紙６８の周縁部に記録するように設定しているときには、スキャナ２２によって読み込んだ校正原稿７４の画像データから、記録紙６８上の周縁部からマーク８０と判定できる画像を検索するようにすればよい。
【００７５】
このようなマーク８０の検索は、記録紙６８の画像データ（校正原稿７４の画像データ）を、記録紙６８の外側から渦巻き状に検索を行うことができ、これにより、記録紙６８の四隅に２色以上野マーク８０を記すようにしても、マーク８０の的確な抽出が可能となる。
【００７６】
また、赤入れを行う色数が設定されているときには、校正原稿７４の画像データから記録紙６８の周縁部から渦巻き状に検索して、設定されている色数のマーク８０の抽出を行う。このとき、抽出したマーク８０の数が、設定さている色数に満たないときには、設定された色数のマーク８０を抽出しきるまで検索を繰り返せばよく、また、複数回の試行を繰り返しても、設定された数の色を抽出できないときには、図示しないディスプレイにその旨を表示して、確認を促すようにしても良い。
【００７７】
また、記録紙６８の周縁部を渦巻き状に検索すると、同一のマーク８０を近似色のマーク８０として抽出してしまうことがある。これを防止するために、近似色に対しては、一つの色のマーク８０として判定することが好ましい。
【００７８】
また、赤入れに用いる色を抽出するときには、スキャナ２２によって読み込んだ校正画像７４の画像データから、校正画像７４のプレビュー（プレビュー画像）を表示し、該表示上でマーク８０を指定することにより、指定されたマーク８０の色を抽出し、抽出した色を、赤入れに用いた色に設定するようにしても良い。なお、このようなマーク８０の抽出には、任意の画像処理方法を適用することができる。
【００７９】
一方、赤入れ画像抽出部６０では、マーク検出部６６で検出したマーク８０の色から校正原稿７４上での赤入れ画像７２を判定し、赤入れ画像７２に応じた画像データを抽出するようにしている。なお、赤入れ画像７２の抽出は、赤入れ画像７２のみを抽出しても良く、赤入れ画像７２に所定の余白部分を持たせて、赤入れ領域７２Ａとして抽出するようにしても良い（図４参照）。
【００８０】
ここで、図５及び図６を参照しながら、校正システム１０での校正処理を説明する。図５には、校正システム１０での校正処理作業の流れを示しており、校正システム１０では、ユーザー１２Ｂ、１２Ｃ側からユーザー１２Ａ側に印刷処理を依頼する。ユーザー１２Ａ側では、印刷処理の依頼を受けると画像処理端末１４で印刷用の原稿を作成する。
【００８１】
この後に、校正システム１０では、ユーザー１２Ａ側でで作成した印刷用の元原稿に対して、印刷処理を依頼したユーザー１２Ｂ、１２Ｃ側から校正を受ける。このときに、元の原稿の画像データを、ユーザー１２Ａ側の画像処理端末１４から、ユーザー１２Ｂ側ないしユーザー１２Ｃ側のサーバ２４へ印刷ジョブとして伝送する（ステップ１００）。
【００８２】
サーバ２４は、印刷ジョブを受信すると、印刷処理を実行し、プリンタ２０を用いて画像データに応じた画像を記録紙６８に形成する（ステップ１０２）。これにより、ユーザー１２Ｂないしユーザー１２Ｃ側で、校正に用いる原稿７０（元の原稿）が得られる。
【００８３】
ユーザー１２Ｂないしユーザー１２Ｃ側では、校正に用いる原稿７０を得ると、この原稿７０に対して校正処理を行い、校正原稿７４を作成する（ステップ１０４）。
【００８４】
ユーザー１２Ｂ、１２Ｃ側で校正処理を行うときに、所定の色の筆記具を用いて、原稿７０に修正指示（校正指示）を書き込む（赤入れ）。これにより、元の画像７８が形成された原稿７０に、校正指示となる赤入れ画像７２が記録された校正画像７６が形成さた校正原稿７４が得られる。
【００８５】
一方、校正システム１０では、赤入れを行うときに、赤入れに使用する筆記具を用いて、記録紙６８の所定位置にマーク８０を形成する。これにより、校正システム１０では、赤入れ画像７２の色を的確に判定可能となるようにしている。
【００８６】
図５に示すように、校正システム１０では、赤入れが終了すると、赤入れを行って形成した校正原稿７４をスキャナ２２に装着して、校正原稿７４に形成されている画像７６をスキャナ２２によってサーバ２４へ読込み（ステップ１０６）、この後、校正システム１０では、サーバ２４上で校正指示データを作成する（ステップ１０８）。
【００８７】
図６には、サーバ１２での校正指示データの作成処理の概略を示している。この校正指示データの作成処理は、校正原稿７４の画像７６をスキャナ２２によって読み込んで、画像７６に応じた画像データが入力されることにより実行され、最初のステップ１２０では、赤入れを行ったときに記録紙６８に形成されるマーク８０を検出する。
【００８８】
次のステップ１２２では、検出したマーク８０の色から赤入れ画像の色を判定して、画像７６から赤入れ画像７２として抽出する画像の色を設定する。すなわち、校正原稿７４で校正指示として記録されている赤入れ画像７２の色を、抽出色として設定する。
【００８９】
このとき、例えば記録紙６８の四隅の何れかにマーク８０を記録するように設定されている時には、記録紙６８の四隅のそれぞれでマーク８０の有無を検出する。また、記録紙６８の四隅や、四隅及び周縁部に複数のマーク８０を記録するように設定されているときには、記録紙６８の周縁部を渦巻き状に検索してマーク８０を抽出する。
【００９０】
これにより、複数色の筆記具を用いて校正を行ったときにも、それぞれの色の赤入れ画像７２を認識して抽出することができ、複数の人が異なる色の筆記具を用いて赤入れを行ったときにも、それぞれの赤入れ画像の的確な認識が可能となると共に、それぞれの人が行った赤入れの内容も識別することができる。
【００９１】
この後、ステップ１２４では、スキャナ２２によって読み取った画像７６の画像データから、赤入れ画像７２の画像データを抽出することにより、画像７６の画像データから元の原稿７０の画像７８の画像データを分離する。
【００９２】
抽出色（赤入れに用いた色）を設定するときには、ＲＧＢ値のみならず、Ｌ*ａ*ｂ*値、ＣＭＹＫ値やＸＹＺ値などの色を特定する任意のパラメータを用いることができる。また、設定色を用いた画像抽出、すなわち、抽出色は、設定した色に対して予め設定している範囲を持たせるようにして、抽出画像に像欠け等が発生してしまうのを防止することが好ましい。
【００９３】
このとき、例えば、設定した色のＲＧＢ値が、それぞれＲｐ、Ｇｐ、Ｂｐであり、抽出範囲を±１０としたときには、抽出画像の色（ＲＧＢ）をそれぞれ、（Ｒｐ−１０）≦Ｒ≦（Ｒｐ＋１０）、（Ｇｐ−１０）≦Ｇ≦（Ｇｐ＋１０）、（Ｂｐ−１０）≦Ｂ≦（Ｂｐ＋１０）とする。なお、抽出色は、設定色に対して濃度範囲を設定したものであっても良い。
【００９４】
次に、ステップ１２６では、抽出した赤入れ画像７２の画像データをメモリに記憶し、ステップ１２８でで、赤入れ画像７２を分離することにより得られる元の原稿７０に記録されている画像７８の画像データに対して所定の画像変換を実行する。
【００９５】
この画像変換処理では、カラー画像を白黒（グレースケール）画像などの単色画像に変換する。これにより、画像データのデータ量を削減する。
【００９６】
なお、この画像変換処理では、単色画像への変換に加えて、解像度を下げるように解像度変換を行うようにしても良く、これにより、より一層のデータ量の削減を図ることができる。
【００９７】
すなわち、サーバ２４で実行する画像変換は、少なくとも元の画像７８の概略を的確に認識できる程度に、色変換ないし解像度変換を行うものであれば良く、これにより、元の画像７８を示すためのデータ量を削減するようにしている。
【００９８】
元の画像７８に対する画像変換を行うと、ステップ１３０では、変換した元の画像７８（画像データ）と、赤入れ画像７２（画像データ）を合成し、校正原稿７４に応じた画像データを校正指示データとして作成する。
【００９９】
このようにして、校正指示データが作成されると、図５に示すフローチャートでは、ステップ１１０へ移行して、作成した校正指示データをユーザー１２Ａ側へ伝送する。サーバ２４で作成した校正指示データを伝送するときには、データ量の削減を行うときの常套手段として用いられるデータ圧縮処理を行う。これにより、より一層のデータ量の削減が可能となる。このときには、非可逆圧縮を行うことにより、より高いデータ量の抑制を達成できる。
【０１００】
サーバ２４から校正指示データを伝送するときには、ユーザー１２Ａ側のプリントサーバ１８へ伝送し、プリントサーバ１８でプリンタ１６を用いて印刷処理を実行するようにしてもよく、また、画像処理端末１４へ伝送して、画像処理端末１４からプリンタ１６を用いた印刷処理を実行するようにしても良く、画像処理端末１４上で図示しないモニタに表示するようにしても良い。
【０１０１】
また、ユーザー１２Ｂ、１２Ｃの一方のサーバ２４で校正指示データを作成したときには、ユーザー１２Ｂ、１２Ｃの他方のサーバ２４又は画像処理端末２６へ伝送して、校正指示の印刷出力ないし確認が可能となるようにしても良い。
【０１０２】
ユーザ１２Ａ側では、校正指示データを受け取ると、この校正指示データに含まれる赤入れ画像７２に基づいた校正処理を行う（ステップ１１２）。
【０１０３】
このように、校正システム１０では、校正指示データを作成するときに、赤入れ画像７２のみでなく、元の画像７８に応じた画像データを含ませるので、ユーザー１２Ａ側で最初に作成した校正用の画像（元の画像）を用いることなく、校正指示の内容を的確に把握することができる。
【０１０４】
このとき、校正システム１０では、元の画像７８に応じた画像データに対して単色画像への変換ないし解像度変換を行ってデータ量の削減を図っているので、元の画像７８の画像データを、赤入れ画像７２の画像データと合わせて伝送するために、サーバ２４から伝送するデータのデータ量が増大してしまう防止することができる。
【０１０５】
これにより、元の画像７８に応じた画像データを含ませた校正指示データを伝送するための伝送時間を短縮することができると共に、ネットワークを介して校正指示データを確実に伝送することができる。
【０１０６】
また、赤色の筆記具等を用いて赤入れを行ったときに、元の画像７８を黒色の単色画像（グレースケールの画像）に変換しておくことにより、校正指示データの印刷出力を行ったときに、赤入れ画像を際立たせることができるので、校正指示がより明確になり、ネットワークを用いたときにも校正指示を的確に伝達することができる。
【０１０７】
さらに、校正指示データに元の画像７８に応じた画像データを含ませ、少なくとも元の画像７８の概略を認識可能としているので、たとえば、ユーザー１２Ｂ側で校正した校正指示データをユーザー１２Ｃ側へ伝送したときに、ユーザー１２Ｃ側に元の画像７８又は元の画像７８の画像データが無くても、校正指示内容を把握することが可能となる。
【０１０８】
なお、以上の説明は、校正システム１０での基本的処理の流れを示すものであり、本発明は、種々の対応の付加等が可能である。
【０１０９】
例えば、先の説明では、赤入れ画像の画像データと、元の画像７８に対して画像変換を行った画像データとを合成して、校正指示データとして伝送するようにしたが、赤入れ画像の画像データのファイルと、元の画像７８に対して画像変換を行った画像データのファイルを作成し、二つのファイルを伝送するようにしても良い。
【０１１０】
このときには、元の画像７８に対する赤入れ画像７２の位置を正確に特定して画像合成が可能となるように、赤入れ画像７２の画像データに対して位置情報を含ませれば良い。
【０１１１】
これにより、元の画像７８又はこの画像データがあれば、２つのファイルを開くことなく、赤入れ画像の画像データのファイルのみを開いて校正指示を確認することが可能となる。
【０１１２】
このときには、図６のステップ１３０で実行する画像合成に換えて、ファイル作成処理を行い、赤入れ画像７２のファイルと元の画像７８を画像変換した画像のファイルを作成すると共に、それぞれのファイルを所定の圧縮率でデータ圧縮する。
【０１１３】
また、データ圧縮を行うときには、赤入れ画像７２のファイルと、元の画像を画像変換したファイルの間で圧縮率を替えてデータ圧縮を行うようにしてもよく、これにより、元の画像に対するデータ量をより一層削減することができる。
【０１１４】
一方、先の説明では、校正作業を行うときに、記録紙６８にマーク８０を形成するようにしたが、校正作業に用いる筆記具が予め定まっているときには、その筆記具の色を、予め登録しておき、登録されている色に基づいて画像抽出を行うようにしても良く、これにより、図６のステップ１２０，１２２を省略することができる。
【０１１５】
このときには、色の設定と共に、抽出範囲である周辺色を合わせて設定しておけば良く、色の設定は、ＲＧＢ値、ＣＭＹＫ値、Ｌ*ａ*ｂ*値及びＸＹＺ値などの色を特定する任意の数値を適用でき、また、周辺色は、設定色に対する数値範囲や濃度範囲を設定するものであれば良い。
【０１１６】
また、赤入れ画像の抽出方法としては、各種の方法と適用することができる。例えば、スキャナ２２に読み取った校正原稿７４の画像７６のプレビュー画像を作成し、このプレビュー画像を、画像処理端末２６のモニタなどに表示し、プレビュー画像上で赤入れ画像の色を指定しても良い。
【０１１７】
また、プレビュー画像上で赤入れ画像７２又は赤入れ領域７２Ａを指定して画像抽出を行うようにしても良く、このときには、座標指定や抽出個所ごとに抽出範囲指定を行うようにしても良い。
【０１１８】
このように、赤入れ画像７２の抽出は、各種の方法を用いて行うことができる。
【０１１９】
さらに、本実施の形態では、主に、原稿の画像データを印刷ジョブとしてサーバ２４に伝送し、校正指示データをサーバ２４から印刷ジョブとしてプリントサーバ１８へ伝送するように説明したが、電子メールの添付ファイルとしてデータ伝送を行うようにしてもよく、これにより、画像処理端末１４からサーバ２４及びサーバ２４からプリントサーバ１８へのデータ伝送のみでなく、画像処理端末１４から画像処理端末２６へのデータ伝送や、画像処理端末２６から画像処理端末１４ないし他の画像処理端末２６でのデータ伝送が可能となるので、より効率的な校正作業が可能となる。
【０１２０】
なお、以上説明した本実施の形態は、本発明の一例を示すものであり、本発明は、本実施の形態に限らず、リモートカラープルーフが適用可能な任意の構成に適用することができる。
【図面の簡単な説明】
【０１２１】
【図１】本実施の形態に適用した校正システムの概略校正図である。
【図２】校正指示の伝送に用いるサーバの概略構成図である。
【図３】校正指示データの作成に用いるサーバの要部の機能ブロック図である。
【図４】校正原稿の一例を示す概略図である。
【図５】校正システムでの処理の概略を示す流れ図である。
【図６】校正指示データの作成の概略を示す流れ図である。
【符号の説明】
【０１２２】
１０    校正システム
１２（１２Ａ、１２Ｂ、１２Ｃ）    ネットワークユーザー
１４    画像処理端末
１６    プリンタ
１８    プリントサーバ
２０    プリンタ
２２    スキャナ（'画像読取り手段）
２４    サーバ
２６    画像処理端末
６０    赤入れ画像抽出部（抽出手段）
６２    画像変換部（変換手段）
６４    画像合成部（合成手段）
６６    マーク検出部
６８    記録紙
７０    原稿
７２    赤入れ画像
７４    校正原稿
８０    マーク
【図１】
2006080856.tif 000003
【図２】
2006080856.tif 000004
【図３】
2006080856.tif 000005
【図４】
2006080856.tif 000006
【図５】
2006080856.tif 000007
【図６】
2006080856.tif 000008